(57)【特許請求の範囲】
【請求項１】
底面が略中央下側に向けて傾斜する傾斜面を有し、水や液肥などのかん水量を調整するかん水調整器を内部に備えたプランター本体と、このプランター本体の上側に一体化され、植物を植栽したかん水鉢を収納保持する保持穴を有したプランター蓋とからなり、
前記プランター蓋を、略中央上側に向かい、前記プランター本体側の傾斜面と同程度傾斜する傾斜面を有したものとして、
このプランター蓋をプランター本体の上側に一体化した全体を鎖等の吊下材によって吊下げるようにするとともに、不使用時には、前記プランター本体の底面を前記プランター蓋の保持穴内に挿入しながら、前記プランター蓋を前記プランター本体の下側に重ね合わせ得るようにしたことを特徴とする吊下げかん水プランター。
【請求項２】
前記保持穴の内の中央の保持穴については、前記かん水鉢を水平状に支持できるようにしたことを特徴とする請求項１に記載の吊下げかん水プランター。
【請求項３】
前記プランター本体の略中央に、かん水等の排出口を設けたことを特徴とする請求項１または請求項２に記載の吊下げかん水プランター。
【発明の詳細な説明】
【０００１】
【発明の属する技術分野】
本発明は、植物を植栽するプランターに関し、特に吊下げて使用し、鉢植え植物に対するかん水を半自動的に行うプランターに関するものである。
【０００２】
【従来の技術】
博覧会や展覧会、あるいはイベント等の各種会場や、スポーツ施設等の、不特定多数の人が多く集まる場所においては、その歩道や通路の脇にプランターを置き、この中に美しく咲いている花を直接植えたり、鉢植えを収納したりして、会場や施設を豪華でやすらぎのあるものとすることが行われている。そして、博覧会等が終われば、このプランターを片付けて、次の博覧会等において再び使用することが行われている。
【０００３】
勿論、この種のプランター内の植物は生きているのであるから、水や液肥等を定期的に散布しなければならない。従来は、このかん水作業を、１日の始まる前や終わった後に行っていたのであるが、作業に時間的制約があるだけでなく、非常に手間の係る作業となっていたのである。プランターや鉢内の土だけでは、その保水力に限界があるからである。
【０００４】
そこで、出願人は、例えば実公平７−４６１４０号公報の「かん水栽培方法において使用する水位調整タンク」におけるように、かん水の作業をできるだけ省略できるようにすることを種々提案してきているのであるが、これらはあくまでも地上や台上に設置するものを対象としていて、吊下式のものではなかった。そして、上述した各種プランターは、博覧会会場の歩道や通路の脇に置いて使用するものであり、例えば花をよく見ようとすれば、身を屈めなければならなかったものである。
【０００５】
つまり、この種のプランターにおいては、花がよく見えるようにするために、人の目の高さ程度の位置に配置できるようにするという要望が出てきているのである。特に、建物内を鉢植えされた植物によって飾りたい場合には、床上だけでなく、床上の空間にもプランターを設置するようにすることが望まれるようになってきているのである。勿論、植木鉢を吊下枠や支持枠のようなもので高い所に設置することはなされているのであるが、その植物に対するかん水は、植木鉢が高い所にあることから、個人観賞用のものはともかく非常に困難であり、まして大量に設置されている場合には、上述したようにかん水作業だけで大量の人手が必要になる。
【０００６】
それなら、大きな吊下式のプランターに大量の鉢植えを収納して、このプランターに上述した実公平７−４６１４０号公報の「かん水栽培方法において使用する水位調整タンク」を採用すればよいようであるが、もし大きなプランターを人の目の高さ位置に設置すれば、このプランター自体が人の通行に邪魔になり、外部に設置されるようであれば、風の影響を受け易くなって大きく揺れるものとなってしまうことも考えられる。
【０００７】
そこで、本発明者等は、半自動的なかん水が行えて、しかも人の目の高さ位置に吊下でき安全性も高いプランターとするにはどうしたらよいか、について種々検討を重ねてきた結果、本発明を完成したのである。
【０００８】
【発明が解決しようとする課題】
本発明は、プランターにおける以上のような実状に鑑みてなされたもので、その解決しようとする課題は、半自動的にかん水が行えて吊下するのに適したプランターとすることである。
【０００９】
すなわち、まず請求項１に係る発明の目的とするところは、吊下した時に人の通行に邪魔にならないだけでなく風の影響をそれほど受けることがなく、ある程度の水や液肥の貯溜を行うことができてかん水作業を省略でき、しかも吊下しても常に安定状態となってかん水効率を高くすることのできる吊下げかん水プランターを提供することにある。
【００１０】
また、請求項２に係る発明の目的とするところは、請求項１に係る吊下げかん水プランターについて、これに植栽した植物の観賞をより一層十分行うことができるようにすることであり、請求項３に係る発明の目的とするところは、請求項１または請求項２に係る吊下げかん水プランターについて、その内部の清掃を簡単に行うことがのできるようにすることである。
【００１１】
【課題を解決するための手段】
以上の課題を解決するために、まず請求項１に係る発明の採った手段は、後述の実施の形態中で使用する符号を付して説明すると、
「底面１１が略中央下側に向けて傾斜する傾斜面１１ａを有し、水や液肥などのかん水量を調整するかん水調整器３０を内部に備えたプランター本体１０と、このプランター本体１０の上側に一体化され、植物を植栽したかん水鉢５０を収納保持する保持穴２１を有したプランター蓋２０とからなり、
プランター蓋２０を、略中央上側に向かい、プランター本体１０側の傾斜面１１ａと同程度傾斜する傾斜面２０ａを有したものとして、
このプランター蓋２０をプランター本体１０の上側に一体化した全体を鎖等の吊下材４０によって吊下げるようにするとともに、不使用時には、プランター本体１０の底面をプランター蓋２０の保持穴２１内に挿入しながら、プランター蓋２０をプランター本体１０の下側に重ね合わせ得るようにしたことを特徴とする吊下げかん水プランター１００」
である。
【００１２】
すなわち、この吊下げかん水プランター１００は、底面１１が略中央下側に向けて傾斜する傾斜面１１ａを有したプランター本体１０と、保持穴２１を有したプランター蓋２０とを、図２に示すように一体化して、図１に示すように、プランター蓋２０の各保持穴２１内に植物を植栽したかん水鉢５０を収納して保持できるようにしたものである。そして、プランター本体１０内に設けてあるかん水調整器３０の供給管３２から、ボールタップ３１等の調整部材によって量を調整しながら、当該プランター本体１０内に水や液肥を供給できるようにしたものである。また、この吊下げかん水プランター１００では、図４に示すように、プランター蓋２０を、略中央上側に向けて傾斜する傾斜面２０ａを有したものとしたことによって、これに形成してある保持穴２１も、図１及び図４に示すように積極的に傾斜させたものである。これにより、各保持穴２１内に収納したかん水鉢５０に植栽した植物あるいはその花は、当該吊下げかん水プランター１００の外方に向かうことになり、当該吊下げかん水プランター１００付近を通過する人の目に十分に触れるものとなって、各かん水鉢５０に植栽した植物の観賞をより一層十分行えるのである。
【００１３】
この吊下げかん水プランター１００のプランター本体１０においては、その底部１１に形成してある傾斜面１１ａによって、図１、図３あるいは図４等に示すように、逆円錐形状の、つまり中央部が最も深くなるような形状の収納部が形成される。従って、このプランター本体１０内の水や液肥が少なくなっても、また当該吊下げかん水プランター１００が風等の力によって多少揺れたとしても、水や液肥の残部が常にプランター本体１０の中央部に貯っていることになってバランスのよいものとなっている。それだけでなく、プランター本体１０の中央部に各かん水鉢５０が有するかん水ひも５１の先端を配置するようにしておけば、かん水鉢５０内の植物に対するかん水は常に十分になされることになるのである。
【００１４】
また、底部１１が略中央下側に向けて傾斜する傾斜面１１ａを有しているのであるから、かん水鉢５０のかん水ひも５１は、この傾斜面１１ａ上にて自動的に案内されて、その先端が常にプランター本体１０の下端中央部に配置されることになるのである。従って、各かん水鉢５０のかん水ひも５１は、その水や液肥内に浸漬される各長さが同じとなって、各かん水鉢５０に対するかん水は、略均等になされることにもなるのである。
【００１５】
さらに、この吊下げかん水プランター１００のプランター本体１０の底部１１は、図１あるいは図２に示したように、略中央下端に向けて逆円錐形状になっているのであるから、水や液肥のための大きな貯溜空間を形成しながら、しかも人の通行に邪魔にならないものとなっているのである。それだけでなく、このプランター本体１０は、上記形状のものとなっているから、風の影響をそれほど受けることがないものともなっており、風によって当該吊下げかん水プランター１００が大きく揺れることはないのである。そして、このかん水プランター１００では、プランター本体１０の底部１１が傾斜面１１ａを有し、プランター蓋２０自体も傾斜面２０ａを有したものとしたのであるから、これらのプランター本体１０とプランター蓋２０とを分離したとき、図５に示すように両者を重ねることができるのである。このようにすれば、不使用時の吊下げかん水プランター１００の保管をそれほどの空間を必要としないで行うことができ、その梱包や運搬を効率よく行うこともできるのである。
【００１６】
勿論、この吊下げかん水プランター１００は、そのプランター蓋２０をプランター本体１０の上側に取付金具４１等によって一体化するものであり、この取付金具４１に連結した鎖やひも等の吊下材４０によって、図１に示すように、その全体が吊り下げられることになるのである。この状態では、プランター本体１０内には水や液肥が十分貯溜してあるから、この水や液肥が各かん水鉢５０のかん水ひも５１の吸水作用によって吸い上げられ、各かん水鉢５０内の植物に対する供給が自動的になされるのである。従って、この請求項１の吊下げかん水プランター１００では、かん水作業を大きく省略することができて、植物の成育をも十分可能にするのである。
【００１７】
さて、請求項２に係る発明の採った手段は、上記請求項１に係る吊下げかん水プランター１００について、
「保持穴２１の内の中央の保持穴２１については、かん水鉢５０を水平状に支持できるようにしたこと」
である。
【００１８】
すなわち、この請求項２に係る吊下げかん水プランター１００では、図４に示すように、プランター蓋２０を、略中央上側に向けて傾斜する傾斜面２０ａを有したものとするとともに、中央となる部分を水平となるように形成して、この水平部分にも保持穴２１を形成したものである。これにより、この水平部分に形成した保持穴２１内に収納したかん水鉢５０も水平に支持されることになるだけでなく、当該かん水プランター１００の不使用時において、プランター本体１０の底面のプランター蓋２０の保持穴２１内への挿入が行え、プランター蓋２０をプランター本体１０の下側に重ねることができる。
【００２０】
そして、請求項３に係る発明の採った手段は、上記請求項１または請求項２に係る吊下げかん水プランター１００について、
「プランター本体１０の略中央に、かん水等の排出口１２を設けたこと」
である。
【００２１】
すなわち、この請求項３に係る吊下げかん水プランター１００では、図６に示すように、プランター本体１０の略中央にかん水等の排出口１２を設けたから、この排出口１２によってプランター本体１０内部の清掃や、残留していた水や液肥、あるいはゴミの取り出しを容易に行えるのである。何故なら、吊下げかん水プランター１００のプランター本体１０は、底面１１が略中央下側に向けて傾斜する傾斜面１１ａを有していて、この傾斜面１１ａによって水や液肥、あるいはゴミが中央に常に集められるのであるから、この中央部に一つの排出口１２を設けておくことによって、その清掃や排出を当該排出口１２を通して簡単に行えるのである。
【００２２】
【発明の実施の形態】
次に、上記のように構成した各請求項に係る発明を、図面に示した実施の形態に従って説明すると、次の通りである。
【００２３】
図１には、本発明に係る吊下げかん水プランター１００を吊下した状態が示してあり、そのプランター蓋２０の各保持穴２１にかん水鉢５０を収納した、あるいは収納する状態も示してある。この吊下げかん水プランター１００は、図２〜図５にも示したように、例えば合成樹脂を材料として一体成形したプランター本体１０とプランター蓋２０とを有するものであり、これらの各フランジ１３・２２を複数（本実施形態においては、図３にも示すように４個）の取付金具４１によって連結したものである。勿論、各取付金具４１には、図１に示したように、鎖等の吊下材４０が連結してあり、吊下げかん水プランター１００全体を吊下できるようにしてある。
【００２４】
プランター本体１０は、図２及び図４に示したように、その底面１１が略中央下側に向けて傾斜する傾斜面１１ａを有しているものであり、その一部には、水や液肥などのかん水量を調整するかん水調整器３０が設けてある。プランター本体１０の傾斜面１１ａの傾斜角度は、上述した機能が果たせればどのような程度であってもよいが、本実施形態においては、鉛直線に対して３０°〜５０°程度傾斜するようにしている。
【００２５】
なお、本実施形態のかん水調整器３０は、プランター本体１０内の液面上に浮いて、供給管３２からの水や液肥の供給量を調整するボールタップ３１を有したものであり、ボールタップ３１の先端は、図示しない水供給源に接続してある。つまり、このかん水調整器３０は、供給管３２を通して供給されてきた水や液肥を、プランター本体１０内の液面高さを検知したボールタップ３１によって常に一定に保つようにしたものである。
【００２６】
図６に示したプランター本体１０は、請求項３に係るものであるが、このプランター本体１０では、傾斜面１１ａの最下端に排出口１２を設けたものである。この排出口１２は、これを別途形成しておくとともに、図４に示したプランター本体１０の底部に穴を形成しておき、この穴内に接着などの手段によってプランター本体１０と一体的にしたものである。
【００２７】
また、このプランター本体１０の上縁には水平方向に延在することになるフランジ１３が形成してあり、このフランジ１３上に、プランター蓋２０側のフランジ２２が載置されることになるものである。そして、これらのフランジ１３・２２を複数の取付金具４１によって連結することにより、次のプランター蓋２０をプランター本体１０に一体化するものである。
【００２８】
プランター蓋２０は、文字通りプランター本体１０の蓋であり、図１及び図４に示したように、略中央上側に向けて傾斜する傾斜面２０ａを有したものとしてある。このようにした理由は、図１から明確に理解できるように、当該プランター蓋２０に形成した保持穴２１内に各かん水鉢５０を収納・固定したとき、これらのかん水鉢５０内の植物あるいはその花がよく見えるようになって、より好ましいものとなるからである。
【００２９】
すなわち、このプランター蓋２０については、かん水鉢５０を収納して支持するための保持穴２１が複数形成してあり、本実施形態においては、合計５個の保持穴２１を有したものとしてある。また、本実施形態においては、中央の保持穴２１がかん水鉢５０を水平状に支持できるようにしてある。
【００３０】
各保持穴２１内に収納されるべきかん水鉢５０は、図４にも示したように、一端がかん水鉢５０内の土中に配置されて他端がプランター本体１０の水や液肥内に浸漬されるかん水ひも５１を有したもので、このかん水ひも５１の吸水作用によってかん水鉢５０内の植物に対するかん水を行えるようにしたものである。
【００３１】
なお、上記の実施形態の吊下げかん水プランター１００は、平面的にみた場合に円形となるものであるが、この円形形状に限るものではないことはいうまでもなく、上述した構成さえ備えることができるのであれば、平面形状が四角形や三角形であっても、その他の形状であってもよいものである。
【００３２】
【発明の効果】
以上、詳述した通り、本発明においては、上記実施形態にて例示した如く、
「底面１１が略中央下側に向けて傾斜する傾斜面１１ａを有し、水や液肥などのかん水量を調整するかん水調整器３０を内部に備えたプランター本体１０と、このプランター本体１０の上側に一体化され、植物を植栽したかん水鉢５０を収納保持する保持穴２１を有したプランター蓋２０とからなり、
プランター蓋２０を、略中央上側に向かい、プランター本体１０側の傾斜面１１ａと同程度傾斜する傾斜面２０ａを有したものとして、
このプランター蓋２０をプランター本体１０の上側に一体化した全体を鎖等の吊下材４０によって吊下げるようにするとともに、不使用時には、プランター本体１０の底面をプランター蓋２０の保持穴２１内に挿入しながら、プランター蓋２０をプランター本体１０の下側に重ね合わせ得るようにしたこと」
にその構成上の特徴があり、これにより、吊下した時に人の通行に邪魔にならないだけでなく風の影響をそれほど受けることがなく、ある程度の水や液肥の貯溜を行うことができてかん水作業を省略でき、しかも吊下しても常に安定状態となってかん水効率を高くすることのできる吊下げかん水プランター１００を提供することができるのである。そして、この請求項１のかん水プランター１００によれば、
・不使用時の吊下げかん水プランター１００の保管をそれほどの空間を必要としない    で行うことができ、その梱包や運搬を効率よく行うこともできる
・当該プランター蓋２０に形成した保持穴２１内に各かん水鉢５０を収納・固定したと    き、これらのかん水鉢５０内の植物あるいはその花がよく見えるようになって、よ    り好ましいものとなる
といった効果をも発揮することができる。
【００３３】
また、請求項２の発明に係る吊下げかん水プランター１００によれば、上記請求項１の吊下げかん水プランター１００について、
「保持穴２１の内の中央の保持穴２１については、かん水鉢５０を水平状に支持できるようにしたこと」
にその構成上の特徴があり、これにより、上記請求項１に係る吊下げかん水プランター１００と同様な効果を発揮することができる他、当該かん水プランター１００の不使用時において、プランター本体１０の底面のプランター蓋２０の保持穴２１内への挿入が行え、プランター蓋２０をプランター本体１０の下側に重ねることができる。
【００３４】
さらに、請求項３の発明に係る吊下げかん水プランター１００によれば、上記請求項１または請求項２の吊下げかん水プランター１００について、
「プランター本体１０の略中央に、かん水等の排出口１２を設けたこと」
にその構成上の特徴があり、これにより、上記請求項１または請求項２に係る吊下げかん水プランター１００と同様な効果を発揮することができる他、内部の清掃を簡単に行うことことができる吊下げかん水プランター１００を提供することができるのである。
【図面の簡単な説明】
【図１】本発明に係る吊下げかん水プランターにかん水鉢を収納した状態を示す斜視図である。
【図２】同吊下げかん水プランターの正面図である。
【図３】同平面図である。
【図４】図１に示した吊下げかん水プランターの縦断面図である。
【図５】本発明の梱包時における状態をしめす縦断面図である。
【図６】請求項３に係る吊下げかん水プランターの縦断面図である。
【符号の説明】
１００  吊下げかん水プランター
１０  プランター本体
１１  底部
１１ａ  傾斜面
１２  排出口
１３  フランジ
２０  プランター蓋
２０ａ  傾斜面
２１  保持穴
２２  フランジ
３０  かん水調整器
３１  ボールタップ
３２  供給管
４０  吊下材
４１  取付金具
５０  かん水鉢
５１  かん水ひも
【図１】
0003646187.tif 000002
【図２】
0003646187.tif 000003
【図３】
0003646187.tif 000004
【図４】
0003646187.tif 000005
【図５】
0003646187.tif 000006
【図６】
0003646187.tif 000007